(57)【要約】【課題】画像要素をユーザが予め移動させる必要がなく、ユーザが簡単にモニタの給電をオフすることができる表示システム、表示制御装置及びコンピュータプログラムを提供する。【解決手段】ＰＣ１及びモニタ３ａ、３ｂにそれぞれ通信部２２及び３８を設けて相互に通信可能とし、モニタ３ａ、３ｂが操作部３３にて給電オン／オフの操作がなされた場合に、ＰＣ１は通信により各モニタ３ａ、３ｂの給電状態が変化したことを判断する。また、いずれかのモニタ３ａ、３ｂが給電オフされた場合に、給電オフされたモニタ３ａ、３ｂに表示されていたウインドウ及びアイコン等の画像要素を、給電オン状態の他のモニタ３ａ、３ｂに表示させる。これにより、ユーザは使用頻度の低いモニタ３ａ、３ｂの給電をオフすることによって節電を容易に行うことができ、表示システムの電力消費低減を確実に実現することができる。【選択図】図１
2010033375.tif 000002
【特許請求の範囲】
【請求項１】
画像表示に係る内部回路への給電のオン／オフの操作を受け付ける操作部をそれぞれ有する複数の表示装置と、表示のための画像をそれぞれ与えて前記複数の表示装置に画像を表示させる表示制御装置とを備える表示システムにおいて、
前記表示装置は、前記表示制御装置との間で情報の送受信を行う通信手段をそれぞれ有し、
前記表示制御装置は、
各表示装置との間で情報の送受信をそれぞれ行う通信手段と、
内部回路への給電のオン／オフの状態を、前記通信手段により各表示装置から取得する給電状態取得手段と、
前記操作部が受け付けた操作により一の表示装置の給電状態がオン状態からオフ状態へ変化したときに、前記一の表示装置が表示していた画像要素を、給電状態がオン状態の他の表示装置に表示させる処理を行う表示処理手段と
を有すること
を特徴とする表示システム。
【請求項２】
前記表示処理手段は、前記一の表示装置が表示していた画像要素の一部又は全部が、前記他の表示装置が表示していた画像要素に重なる場合、前記一の表示装置が表示していた画像要素が最背側となるように複数の画像要素を重ねて表示させるようにしてあること
を特徴とする請求項１に記載の表示システム。
【請求項３】
前記表示制御装置は、一の表示装置の給電状態がオン状態からオフ状態へ変化したときに、前記一の表示装置が表示していた画像要素の前記一の表示装置における配置を記憶する記憶手段を有し、
前記表示処理手段は、前記一の表示装置の給電状態がオフ状態からオン状態へ変化したときに、前記記憶手段が記憶した配置に基づいて、前記画像要素を前記一の表示装置に表示させるようにしてあること
を特徴とする請求項１又は２に記載の表示システム。
【請求項４】
前記表示制御装置は、
前記表示装置に表示された画像要素に対する操作を受け付ける受付手段と、
前記表示装置に表示された一又は複数の画像要素から、前記受付手段が受け付ける操作対象の一の画像要素を特定する特定手段と
を有し、
前記表示処理手段は、前記一の表示装置の給電状態がオフ状態からオン状態へ変化したときに、前記特定手段が特定した一の画像要素については、前記記憶手段が記憶した配置に基づく表示を行わないようにしてあること
を特徴とする請求項３に記載の表示システム。
【請求項５】
前記表示制御装置は、前記表示処理手段による処理を行うか否かの設定を受け付ける設定受付手段を有し、
前記表示処理手段は、前記設定受付手段が受け付けた設定に応じて、前記一の表示装置が表示していた画像要素を前記他の表示装置に表示させる処理を行うようにしてあること
を特徴とする請求項１乃至請求項４のいずれか１つに記載の表示システム。
【請求項６】
前記表示装置は、前記操作部が給電のオン／オフの操作を受け付けた場合に、前記通信手段により前記表示制御装置へ給電状態を通知する給電状態通知手段を有し、
前記表示制御装置の給電状態取得手段は、前記給電状態通知手段の通知により各表示装置の給電状態を取得するようにしてあること
を特徴とする請求項１乃至請求項５のいずれか１つに記載の表示システム。
【請求項７】
画像表示に係る内部回路への給電のオン／オフの操作を受け付ける操作部をそれぞれ有する複数の表示装置に、表示のための画像をそれぞれ与えて画像を表示させる表示制御装置において、
各表示装置との間で情報の送受信をそれぞれ行う通信手段と、
内部回路への給電のオン／オフの状態を、前記通信手段により各表示装置から取得する給電状態取得手段と、
前記操作部が受け付けた操作により一の表示装置の給電状態がオン状態からオフ状態へ変化したときに、前記一の表示装置が表示していた画像要素を、給電状態がオン状態の他の表示装置に表示させる処理を行う表示処理手段と
を備えることを特徴とする表示制御装置。
【請求項８】
コンピュータに、表示のための画像をそれぞれ与えて複数の表示装置に画像を表示させるコンピュータプログラムにおいて、
一の表示装置の画像表示に係る内部回路への給電状態がオン状態からオフ状態へ変化したときに、前記一の表示装置が表示していた画像要素を特定するステップと、
特定した画像要素を、給電状態がオン状態の他の表示装置が表示する画像に配置するステップと
を含むことを特徴とするコンピュータプログラム。
【発明の詳細な説明】
【技術分野】
【０００１】
本発明は、ＰＣ（Personal Computer）などの表示制御装置にモニタなどの複数の表示装置を接続した所謂マルチモニタ環境の表示システム、並びにこの表示システムを構成する表示制御装置及びコンピュータプログラムに関する。
【背景技術】
【０００２】
従来、モニタに複数のウインドウを表示することによって、ユーザが複数のアプリケーションを起動して同時的に使用することを可能としたマルチウインドウシステムが広く普及している。１つのモニタの表示領域には限りがあるため、多数のアプリケーションを起動した場合、ユーザは最前に表示するウインドウ（アクティブウインドウ）を頻繁に切り替えながら作業を行う必要がある。
【０００３】
一方、近年においては、１つのＰＣに複数のモニタを接続し、各モニタにそれぞれ異なる情報を表示することができるマルチモニタ環境の表示システムが普及し始めている。マルチモニタ環境の表示システムは、１つのモニタのサイズを大型化することと比較して、比較的低コストで表示領域の拡大を実現することができ、ユーザの作業効率を高めることができるという利点がある。
【０００４】
特許文献１においては、簡単な操作で複数のウインドウを複数の表示手段間で移動させることができるマルチモニタシステムが提案されている。このシステムは、ウインドウの第１表示手段又は第２表示手段への移動パターンを指示するウインドウ移動指示手段と、ウインドウ移動指示手段が指示する移動パターンに基づいて第１表示手段及び第２表示手段に表示されたウインドウの移動位置を決定するウインドウ移動位置決定手段を備えている。これにより、１回の操作で複雑なウインドウ操作を行うことができるため、操作者の負担を軽減することができる。
【０００５】
また、マルチモニタ環境の表示システムでは、複数のモニタの給電を個別にオフすることができるため、使用頻度の低いモニタの給電をユーザが自発的にオフすることによって、モニタによる電力消費を低減することができるという利点がある。
【特許文献１】特開２００２−１８２８９３号公報
【発明の開示】
【発明が解決しようとする課題】
【０００６】
従来のマルチモニタ環境の表示システムにおいては、ユーザが節電のために一のモニタの給電をオフする場合、このモニタに表示されていたウインドウのアプリケーションが利用不可能となるため、ユーザは給電をオフしない他のモニタへこれらのウインドウを事前に移動させておく必要がある（又は、ＯＳ（Operating System）の設定をマルチモニタ環境からシングルモニタ環境へ変更することで、給電オフしないモニタへウインドウを移動させることが可能な場合もある）。
【０００７】
しかし、モニタの給電をオフする前にウインドウを移動させる操作（又は、ＯＳの設定変更操作）はユーザにとって煩わしいものであるため、ユーザがモニタの給電を個別にオフすることはなく、モニタによる電力消費の低減が実現できないという問題がある。また、アプリケーションを起動するための所謂アイコン、又は時計及びカレンダー等のウインドウとして表示されないアプリケーション等をユーザが複数のモニタに分散して配置している場合には、給電をオフしたモニタに配置されていたアイコン及びアプリケーション等を使用することができないという問題がある。
【０００８】
特許文献１に記載のマルチモニタシステムは、ユーザがアイコン操作を行うことによって、優先順位が高いウインドウの表示を別のモニタに自動的に移動する、全てのウインドウを１つのモニタに自動的に集結する、又は複数のウインドウを複数のモニタに自動的に均等に配分する等の処理を行うことができる。よって、複数のモニタの給電がオンの状態においては、ウインドウの移動に係るユーザの負担を軽減することができる。しかしながら、節電のためにモニタの給電をオフする場合には、ユーザがアイコン操作を行ってウインドウを移動させる必要があるため、上述の問題を解決することはできない。また、ウインドウを移動させるためのアイコンが表示されたモニタの給電をオフすることができないという問題もある。
【０００９】
本発明は、斯かる事情に鑑みてなされたものであって、その目的とするところは、マルチモニタ環境においていずれかのモニタの給電がオフされた場合に、このモニタに表示されていたウインドウ又はアイコン等の画像要素を給電がオフされない他のモニタへ移動して表示することによって、画像要素をユーザが予め移動させる必要がなく、ユーザが簡単にモニタの給電をオフすることができる表示システム、表示制御装置及びコンピュータプログラムを提供することにある。
【課題を解決するための手段】
【００１０】
第１発明に係る表示システムは、画像表示に係る内部回路への給電のオン／オフの操作を受け付ける操作部をそれぞれ有する複数の表示装置と、表示のための画像をそれぞれ与えて前記複数の表示装置に画像を表示させる表示制御装置とを備える表示システムにおいて、前記表示装置は、前記表示制御装置との間で情報の送受信を行う通信手段をそれぞれ有し、前記表示制御装置は、各表示装置との間で情報の送受信をそれぞれ行う通信手段と、内部回路への給電のオン／オフの状態を、前記通信手段により各表示装置から取得する給電状態取得手段と、前記操作部が受け付けた操作により一の表示装置の給電状態がオン状態からオフ状態へ変化したときに、前記一の表示装置が表示していた画像要素を、給電状態がオン状態の他の表示装置に表示させる処理を行う表示処理手段とを有することを特徴とする。
【００１１】
また、第２発明に係る表示システムは、前記表示処理手段が、前記一の表示装置が表示していた画像要素の一部又は全部が、前記他の表示装置が表示していた画像要素に重なる場合、前記一の表示装置が表示していた画像要素が最背側となるように複数の画像要素を重ねて表示させるようにしてあることを特徴とする。
【００１２】
また、第３発明に係る表示システムは、前記表示制御装置が、一の表示装置の給電状態がオン状態からオフ状態へ変化したときに、前記一の表示装置が表示していた画像要素の前記一の表示装置における配置を記憶する記憶手段を有し、前記表示処理手段は、前記一の表示装置の給電状態がオフ状態からオン状態へ変化したときに、前記記憶手段が記憶した配置に基づいて、前記画像要素を前記一の表示装置に表示させるようにしてあることを特徴とする。
【００１３】
また、第４発明に係る表示システムは、前記表示制御装置が、前記表示装置に表示された画像要素に対する操作を受け付ける受付手段と、前記表示装置に表示された一又は複数の画像要素から、前記受付手段が受け付ける操作対象の一の画像要素を特定する特定手段とを有し、前記表示処理手段は、前記一の表示装置の給電状態がオフ状態からオン状態へ変化したときに、前記特定手段が特定した一の画像要素については、前記記憶手段が記憶した配置に基づく表示を行わないようにしてあることを特徴とする。
【００１４】
また、第５発明に係る表示システムは、前記表示制御装置が、前記表示処理手段による処理を行うか否かの設定を受け付ける設定受付手段を有し、前記表示処理手段は、前記設定受付手段が受け付けた設定に応じて、前記一の表示装置が表示していた画像要素を前記他の表示装置に表示させる処理を行うようにしてあることを特徴とする。
【００１５】
また、第６発明に係る表示システムは、前記表示装置が、前記操作部が給電のオン／オフの操作を受け付けた場合に、前記通信手段により前記表示制御装置へ給電状態を通知する給電状態通知手段を有し、前記表示制御装置の給電状態取得手段は、前記給電状態通知手段の通知により各表示装置の給電状態を取得するようにしてあることを特徴とする。
【００１６】
また、第７発明に係る表示制御装置は、画像表示に係る内部回路への給電のオン／オフの操作を受け付ける操作部をそれぞれ有する複数の表示装置に、表示のための画像をそれぞれ与えて画像を表示させる表示制御装置において、各表示装置との間で情報の送受信をそれぞれ行う通信手段と、内部回路への給電のオン／オフの状態を、前記通信手段により各表示装置から取得する給電状態取得手段と、前記操作部が受け付けた操作により一の表示装置の給電状態がオン状態からオフ状態へ変化したときに、前記一の表示装置が表示していた画像要素を、給電状態がオン状態の他の表示装置に表示させる処理を行う表示処理手段とを備えることを特徴とする。
【００１７】
また、第８発明に係るコンピュータプログラムは、コンピュータに、表示のための画像をそれぞれ与えて複数の表示装置に画像を表示させるコンピュータプログラムにおいて、一の表示装置の画像表示に係る内部回路への給電状態がオン状態からオフ状態へ変化したときに、前記一の表示装置が表示していた画像要素を特定するステップと、特定した画像要素を、給電状態がオン状態の他の表示装置が表示する画像に配置するステップとを含むことを特徴とする。
【００１８】
本発明においては、複数の表示装置を表示制御装置に接続してマルチモニタ環境の表示システムを構成し、表示制御装置は一又は複数の画像要素から画像を生成して表示装置へ出力することで、各表示装置のこの画像を表示する。表示装置が表示する画像を構成する画像要素には、例えばアプリケーション毎の表示及び操作受付等を行うウインドウ、アプリケーションの起動などを行うためのアイコン及びタスクバー、並びに時計又はカレンダー等のようにウインドウを有さずに表示のみ行うアプリケーションの表示画像等が含まれる。
また表示システムにおいては、表示制御装置及び複数の表示装置にはそれぞれ通信を行う手段を設けて、通信により表示制御装置が表示装置の給電状態（給電がオン状態であるか又はオフ状態であるか）を取得する。これにより表示制御装置は表示装置の給電状態の変化を判断することができる。一の表示装置の給電状態がオン状態からオフ状態へ変化したとき、この一の表示装置に表示されていた画像要素を、給電状態がオン状態の他の表示装置に表示させる。
これにより、画像要素が表示された状態の表示装置をユーザが給電オフした場合であっても、これらの画像要素は給電オン状態の他の表示装置に自動的に移動されて表示されるため、これらの画像要素に係るアプリケーション又はＯＳ等を利用した作業を継続して行うことができる。ユーザが行う操作は給電オフ操作のみであるため、ユーザは煩わしさを感じることなく表示装置の給電オフを行うことができる。
【００１９】
１つの表示装置に複数の画像要素を表示するとき、表示装置の表示領域の大きさ及び各画像要素の大きさによっては、画像要素の一部又は全部を重ねて表示する必要がある場合がある。また、複数の表示装置を個別に給電オフする場合、給電オフされた表示装置に表示されていた画像要素は、ユーザにとって使用頻度又は重要度等が低い場合が多い。
そこで本発明においては、給電オフされた表示装置に表示されていた画像要素を他の表示装置へ移動して表示する場合に、この画像要素を最背側（最も後側又は下側）にして、複数の画像要素を重ねて他の表示装置に表示する。使用頻度又は重要度等が低い画像要素を最前側に表示するとユーザの作業の妨げとなる虞があるが、これを回避できる。
【００２０】
また本発明においては、一の表示装置の給電状態がオン状態からオフ状態へ変化したときに、表示制御装置は一の表示装置が表示していた画像要素を他の表示装置へ移動させるが、このときに一の表示装置における画像要素の配置を記憶しておく。その後、この一の表示装置が給電オンされた場合、記憶した配置に基づいて、他の表示装置に移動した画像要素を、一の表示装置の元の配置に戻す。ユーザは、一の表示装置の給電オン操作を行うのみで、給電オフ前の作業環境に戻すことができる。
【００２１】
ただし、給電オフした一の表示装置から移動させた画像要素が例えばアプリケーションの操作受付及び表示領域等をなすウインドウであり、且つ、このウインドウがユーザの操作対象又は最前側に配置される場合（即ち、このウインドウがアクティブウインドウである場合）、一の表示装置の給電オンにより使用中の画像要素の配置を元に戻すとユーザの作業の妨げとなる虞がある。そこで本発明においては、ユーザの操作対象の画像要素を特定し、特定した画像要素は一の表示装置が給電オンされた場合であっても、元の配置に戻さないことによって、ユーザの作業の妨げとなることを回避する。
【００２２】
また本発明においては、一の表示装置の給電オン／オフに応じて画像要素を他の表示装置に移動して表示する処理を行うか否かに係る設定をユーザから受け付け、受け付けた設定に応じて上述の処理を行うか否かを決定する。これにより、ユーザ毎の表示装置の使用状況などに適した画像要素の表示を行うことができ、表示システムの利便性を向上することができる。
【００２３】
また本発明においては、ユーザにより表示装置の操作部に対して給電オン／オフの操作がなされた場合に、表示装置が表示制御装置へ給電状態を通知する。これにより表示制御装置は各表示装置の給電状態を取得することができ、表示装置の給電状態が変化したか否かを判断することができる。
【００２４】
なお上述の表示制御装置が行う処理は、表示制御装置がＰＣのような機器の場合、コンピュータプログラムとして提供することが可能である。この場合、ＣＤ（Compact Disc）などの記録媒体に記録されたコンピュータプログラムを表示制御装置にインストールすることによって、表示装置の給電オン／オフに係る処理を表示制御装置が行うことができる。
【発明の効果】
【００２５】
本発明による場合は、複数の表示装置が表示制御装置に接続された表示システムにて、いずれかの表示装置が給電オフされた場合に、この表示装置に表示されていた画像要素を、給電状態がオン状態の他の表示装置へ移動して表示する構成とすることにより、ユーザは画像要素を予め他の表示装置へ移動させることなく、表示装置の給電オフ操作を行うのみでよいため、煩わしさを感じることなく簡単に表示装置の給電をオフすることができる。これによりユーザは、使用頻度の低い表示装置の給電をオフすることによる節電を容易に行うことができ、表示システムの電力消費低減を確実に実現することができる。
【発明を実施するための最良の形態】
【００２６】
以下、本発明をその実施の形態を示す図面に基づき具体的に説明する。図１及び図２は、本発明に係る表示システムの構成を示すブロック図であり、図１には表示システムを構成する表示制御装置の詳細を図示し、図２には表示システムを構成する表示装置の詳細を図示してある。図において１はＰＣであり、本発明の表示システムを構成する表示制御装置に相当する。また図において３ａ、３ｂはそれぞれモニタであり、本発明の表示システムを構成する表示装置に相当する。図示の例では１つのＰＣ１に２つのモニタ３ａ、３ｂをそれぞれケーブル５で接続することにより表示システムが構成されている。なお、図２においてモニタ３ａのみ詳細な構成を図示するが、モニタ３ｂの構成はモニタ３ａと同様であるため図示を省略する。
【００２７】
表示システムのＰＣ１は、ＣＰＵ（Central Processing Unit）１１、メモリ１２、表示処理部１３、操作部１４、ハードディスク１５及びディスクドライブ１６等を備える汎用のコンピュータである。また、本発明のＰＣ１は、モニタ３ａ、３ｂを接続するために２つの接続部２０ａ、２０ｂを備えており、各接続部２０ａ、２０ｂがそれぞれケーブル５を介してモニタ３ａ、３ｂに接続される。
【００２８】
ＣＰＵ１１は、ハードディスク１５に予めインストールされた種々のプログラムを読み出して実行することにより、ＰＣ１内の各部の制御処理及び各種の演算処理等を行う。本発明のＰＣ１は、ＣＰＵ１１がハードディスク１５に予めインストールされた表示制御プログラム５０を読み出して実行することにより、接続部２０ａ、２０ｂに接続されたモニタ３ａ、３ｂに対する画像表示の制御処理（詳細は後述する）を行うことができる。またＰＣ１は、ハードディスク１５に予めインストールされたＯＳのプログラムを読み出して実行することにより、ハードウェア資源及びソフトウェア資源の管理を行うことができると共に、モニタ３ａ、３ｂに複数のウインドウを表示することによって、表計算及びワープロ等の種々のアプリケーションプログラムを同時的に実行することができる。
【００２９】
メモリ１２は、ＳＲＡＭ（Static Random Access Memory）又はＤＲＡＭ（Dynamic Random Access Memory）等のメモリ素子で構成されており、ハードディスク１５から読み出したプログラム及びデータ、並びにＣＰＵ１１の演算過程で生じたデータ等を一時的に記憶する。操作部１４は、キーボード及びマウス等の装置で構成され、ユーザによる操作を受け付けてＣＰＵ１１へ通知する処理を行う。
【００３０】
表示処理部１３は、複数のモニタ３ａ、３ｂに表示するための画像をそれぞれ生成し、生成した画像に対する種々の画像処理を行って、画像処理後の画像に係る画像データを接続部２０ａ、２０ｂへそれぞれ与える。これにより各モニタ３ａ、３ｂには、表示処理部１３が生成した画像が表示される。なお、表示処理部１３が生成する画像は、ＰＣ１が実行するアプリケーション毎のウインドウ、アプリケーションの起動などを行うためのアイコン及びタスクバー、並びに時計又はカレンダー等のようにウインドウを有さずに表示のみ行うアプリケーションの表示画像等の種々の画像要素を、予め定められた背景画像に適宜配置して構成される。
【００３１】
ハードディスク１５は、大容量の磁気ディスクで構成される記憶装置であり、ＰＣ１を動作させるためのＯＳ（Operating System）及びアプリケーションプログラム等の種々のプログラム、並びにこれらのプログラムが使用するデータ等を記憶している。特に、本発明のＰＣ１では、ハードディスク１５に表示制御プログラム５０が予めインストールされて記憶されている。ディスクドライブ１６は、ＣＤ又はＤＶＤ（Digital Versatile Disk）等の光ディスクによる記録媒体に対して、データの読み出し及び書き込みを行うものである。ディスクドライブ１６により光ディスクからプログラム及びデータを読み出してハードディスク１５に記憶することにより、プログラム及びデータのインストールを行うことができる。
【００３２】
接続部２０ａ、２０ｂは、例えばＤＶＩ（Digital Visual Interface）規格の接続端子を有しており、モニタ３ａ、３ｂとそれぞれ１本のケーブル５で接続されるが、各モニタ３ａ、３ｂへ画像信号を出力することができると共に、双方向の通信を行うことができる。各接続部２０ａ、２０ｂは、画像信号出力部２１及び通信部２２を有している。画像信号出力部２１は、表示処理部１３から与えられた画像データを、ケーブル５での送受信に適した形式の画像信号に変換し、ケーブル５を介してモニタ３ａ、３ｂへ画像信号を出力する。
【００３３】
通信部２２は、例えばＤＤＣ／ＣＩ（Display Data Channel / Command Interface）の規格によりケーブル５を介してモニタ３ａ、３ｂと双方向の通信を行うものである。通信部２２は、ＣＰＵ１１の制御に応じてモニタ３ａ、３ｂへ給電オン／オフの命令、並びに明度及び彩度等の設定変更の命令等を送信すると共に、モニタ３ａ、３ｂの給電状態（給電がオンであるか又はオフであるか）の通知並びに明度及び彩度等の設定値等を受信してＣＰＵ１１へ通知する。これらによりＰＣ１は、接続部２０ａ、２０ｂにそれぞれ接続された２つのモニタ３ａ、３ｂの給電状態を取得することができる。
【００３４】
モニタ３ａ、３ｂは、表示部３２、操作部３３、給電部３４、表示処理部３５及び接続部３６と、これら各部の制御を行う制御部３１とを備えて構成されている。制御部３１は、モニタ３ａ、３ｂの各部の動作の制御処理及び各種の演算処理等を行うものである。表示部３２は、例えば液晶パネル又はＰＤＰ（Plasma Display Panel）等で構成され、表示処理部３５から与えられた画像信号に応じて画像の表示を行う。
【００３５】
表示処理部３５は、ＰＣ１から与えられた画像信号に係る画像に対して、設定された条件に応じて明度及び彩度等の調整を行い、表示部３２の表示に適した画像信号に変換し、変換した画像信号を表示部３２へ与える。これにより、ＰＣ１にて複数の画像要素から生成された画像がモニタ３ａ、３ｂの表示部３２にそれぞれ表示される。
【００３６】
操作部３３は、モニタ３ａ、３ｂの筺体に配設された複数のスイッチなどで構成されており、ユーザによる給電のオン／オフ操作、並びに明度及び彩度等の設定値の変更操作等を受け付け、制御部３１へ通知する。給電部３４は、商用の交流の電力を直流の電力に変換し、モニタ３ａ、３ｂの各部（特に、画像表示に係る内部回路）へ供給するものであり、制御部３１によって給電の開始／停止を制御されている。
【００３７】
なお、本発明において「給電オフ」の状態は、モニタ３ａ、３ｂの表示部３２及び表示処理部３５等は給電が停止されて動作していない状態であるが、少なくとも操作部３３による給電オン操作の受け付け、及び制御部３１による給電部３４から各部への給電開始の制御は行うことができる状態であり、所謂「スタンバイ」の状態を含むものである。また「給電オン」の状態は、表示部３２及び表示処理部３５が給電されて動作し、モニタ３ａ、３ｂが表示部３２に画像を表示している状態である。
【００３８】
接続部３６は、例えばＤＶＩ規格の接続端子を有しており、ＰＣ１と１本のケーブル５で接続されるが、ＰＣ１から出力された画像信号を取得すると共に、ＰＣ１と双方向の通信を行うことができる。接続部３６は、画像信号入力部３７及び通信部３８を有している。画像信号入力部３７は、ＰＣ１から与えられた画像信号を取得して表示処理部３５へ与える。
【００３９】
通信部３８は、例えばＤＤＣ／ＣＩの規格によりケーブル５を介してＰＣ１と双方向の通信を行う。通信部３８は、ＰＣ１からの要求に応じて、モニタ３ａ、３ｂの給電状態、並びに明度及び彩度等の設定値等をＰＣ１へ送信すると共に、ＰＣ１から送信された給電オン／オフの命令及び設定値の変更命令等を受信して制御部３１へ通知する。
【００４０】
次に、本発明に係る表示システムにおけるモニタ３ａ、３ｂの表示制御処理について説明する。図３乃至図６は、本発明に係る表示システムの表示制御処理を説明するための模式図であり、モニタ３ａ、３ｂの表示例が示してある。例えば、モニタ３ａの表示部３２には、２つのウインドウＡ、Ｂ及びタスクバー５１が表示されている。また、モニタ３ｂの表示部３２には、１つのウインドウＣ、複数のアイコン５２及び時計アプリケーションの時間表示画像５３が表示されている（図３（ａ）参照）。即ち、ＰＣ１の表示処理部１３は、背景画像にウインドウＡ、Ｂ及びタスクバー５１を配置した画像を生成して接続部２０ａからモニタ３ａへ与え、背景画像にウインドウＣ、アイコン５２及び時間表示画像５３を配置した画像を生成して接続部２０ｂからモニタ３ａへ与えることによって、図示の画像表示を行っている。
【００４１】
またＰＣ１は、定期的に通信部２２から各モニタ３ａ、３ｂへ給電状態の取得要求を送信し、これに対して各モニタ３ａ、３ｂから通知された給電状態を取得することによって、各モニタ３ａ、３ｂの給電状態を定期的に判断している。これによりＰＣ１は、モニタ３ａ、３ｂの操作部３３に対する操作が行われて、モニタ３ａ、３ｂの給電状態が給電オンから給電オフへ変化したこと、及び、給電オフから給電オンへ変化したことを判断できる。
【００４２】
この状態において、ユーザがモニタ３ｂに設けられた操作部３３の給電スイッチを操作し、モニタ３ｂの給電をオフした場合、モニタ３ｂは画像表示を停止すると共に、ＰＣ１は通信部２２が行う通信によりモニタ３ａの給電状態を取得する。これによりＰＣ１のＣＰＵ１１は、モニタ３ｂの給電状態がオン状態からオフ状態へ変化したと判断し、表示処理部１３へ画像要素の再配置を行う指示を与える。表示処理部１３は、モニタ３ｂのために生成していた画像に含まれるウインドウＣ、アイコン５２及び時間表示画像５３等の画像要素（即ち、背景以外の画像要素）を、モニタ３ａに表示する画像要素と共に背景画像に配置した画像を生成し、接続部２０ａからモニタ３ａへ与える。これによりモニタ３ａの表示部３２には、３つのウインドウＡ〜Ｃと、タスクバー５１と、アイコン５２と、時間表示画像５３とが適宜に配置されて表示される（図３（ｂ）参照）。
【００４３】
このとき、モニタ３ａに表示されていたウインドウＡ、Ｂ及びタスクバー５１の配置（表示位置）は変化しない。モニタ３ｂに表示されていたウインドウＣ、アイコン５２及び時間表示画像５３のモニタ３ａにおける配置は、モニタ３ｂにおける配置と同じとする。ただし、ウインドウＣ、アイコン５２及び時間表示画像５３を、画像要素が表示されていないモニタ３ａの空き領域に適宜に配置してもよい。特に、モニタ３ａとモニタ３ｂとのサイズが異なる場合などには、表示処理部１３がモニタ３ａ、３ｂのサイズ差を考慮して画像要素を適宜に配置することが好ましい。
【００４４】
また、給電オフされたモニタ３ｂに表示されていたウインドウＣをモニタ３ａに表示した場合に、モニタ３ａに表示されていたウインドウＡ、Ｂ及びウインドウＣの一部又は全部が重なる場合、表示処理部１３は、モニタ３ａに表示されていたウインドウＡ、Ｂの表示を優先し、モニタ３ｂに表示されていたウインドウＣが最背側（最下側）となるように、３つのウインドウＡ〜Ｃを重ねた画像を生成してモニタ３ａに表示する。なお、図示は省略するが、ウインドウＡ〜Ｃとアイコン５２又は時間表示画像５３とが重なる場合には、表示処理部１３は、ウインドウＡ〜Ｃの表示を優先し、アイコン５２及び時間表示５３が最背側となるようにウインドウＡ〜Ｃとアイコン５２又は時間表示画像５３とを重ねた画像を生成して表示する。また、アイコン５２及び時間表示画像５３等が重なる場合には、表示処理部１３はこれらを重ならない位置に適宜に配置した画像を生成して表示する。
【００４５】
またＰＣ１は、モニタ３ｂが給電オフされた場合に、モニタ３ｂの表示部３２に表示していた画像要素の配置をメモリ１２などに記憶しておく。その後、モニタ３ｂの給電が再度オンされた場合、ＰＣ１は通信部２２が行う通信によりモニタ３ａの給電状態を取得することによって、ＰＣ１のＣＰＵ１１はモニタ３ｂの給電状態がオフ状態からオン状態へ変化したと判断する。これによりＰＣ１のＣＰＵ１１は、メモリ１２に記憶した画像要素の配置を読み出して表示処理部１３へ与えると共に、表示処理部１３へ画像要素の再配置を行う指示を与える。表示制御部１３は、モニタ３ｂが給電オフされた際にモニタ３ａへ移動したウインドウＣ、アイコン５２及び時間表示画像５３等の画像要素を、給電オンされたモニタ３ｂに表示するように、モニタ３ａ、３ｂの画像を生成して表示する（図４（ｃ）参照）。これによりユーザは、モニタ３ｂの給電オフ前と同じ状態で作業を行うことができる。
【００４６】
ただし、モニタ３ｂが給電オフされて、ＰＣ１によりウインドウＣ、アイコン５２及び時間表示画像５３がモニタ３ａの表示部３２に再配置されて表示された後、ユーザがウインドウＣを利用して作業を行っている場合、即ちモニタ３ａにてウインドウＣがアクティブになっている場合（図５（ｄ）参照）には、モニタ３ｂの給電オンによりウインドウＣをモニタ３ｂへ移動させることはユーザの作業の妨げとなる虞がある。
【００４７】
このためＰＣ１は、モニタ３ａのアクティブのウインドウを特定し、アクティブのウインドウについては給電オンの際の再配置を行わない。よって、ウインドウＣがアクティブのときにモニタ３ｂが給電オンされた場合には、モニタ３ｂの給電オフの際にモニタ３ａに移動されたアイコン５２及び時間表示画像５３はモニタ３ｂへ移動されるが、ウインドウＣは移動されずにモニタ３ａに表示される（図５（ｅ）参照）。これによりユーザは、ウインドウＣを利用した作業をモニタ３ａにて継続して行うことができる。
【００４８】
また、モニタ３ａの表示部３２に２つのウインドウＡ、Ｂ及びタスクバー５１が表示され、モニタ３ｂの表示部３２に１つのウインドウＣ、複数のアイコン５２及び時計アプリケーションの時間表示画像５３が表示されているときに（図６（ａ）参照）、モニタ３ａを給電オフした場合、モニタ３ａは画像表示を停止すると共に、ＰＣ１は通信部２２が行う通信によりモニタ３ａの給電状態を取得する。これによりＰＣ１のＣＰＵ１１は、表示処理部１３へ画像要素の再配置を行う指示を与える。表示処理部１３は、モニタ３ａに表示していたウインドウＡ、Ｂ及びタスクバー５１等の画像要素を、モニタ３ｂに表示する画像要素と共に背景画像に配置した画像を生成し、接続部２０ｂからモニタ３ｂへ与える。これによりモニタ３ｂの表示部３２には、３つのウインドウＡ〜Ｃと、タスクバー５１と、アイコン５２と、時間表示画像５３とが適宜に配置されて表示される（図６（ｆ）参照）。
【００４９】
即ち、本発明に係る表示システムにおいては、複数のモニタ３ａ、３ｂのいずれかの給電がオフされた場合、ＰＣ１は、給電オフされたモニタ３ａ、３ｂに表示されていたウインドウＡ〜Ｃ、タスクバー５１、アイコン５２及び時間表示画像５３等の画像要素を、給電オフされない（給電オン状態の）モニタ３ａ、３ｂに移動して表示する。また、いずれかのモニタ３ａ、３ｂが給電オフされた際に、ＰＣ１は給電オフされたモニタ３ａ、３ｂに表示されていた画像要素の配置をメモリ１２に記憶しておき、このモニタ３ａ、３ｂの給電が再度オンされた場合に、ＰＣ１は記憶した配置に応じて移動した画像要素を元に戻す。ただし、モニタ３ａ、３ｂの給電オフにより移動した画像要素がウインドウＡ〜Ｃであり、モニタ３ａ、３ｂが給電オンされた場合に移動したウインドウＡ〜Ｃがアクティブ状態の場合には、ＰＣ１は、このウインドウＡ〜Ｃについては給電オンされたモニタ３ａ、３ｂに移動しない。
【００５０】
次に、本発明に係る表示システムが行う処理をフローチャートを用いて説明する。図７は、本発明に係る表示システムのモニタ３ａ、３ｂが給電オン／オフの際に行う処理の手順を示すフローチャートであり、モニタ３ａ、３ｂの制御部３１にて行われる処理である。また、図示のフローチャートはモニタ３ａ、３ｂが給電オフの状態からの手順を示してある。
【００５１】
まず、モニタ３ａ、３ｂの制御部３１は、操作部３３にて給電オンの操作がなされたか否かを判定し（ステップＳ１）、給電オンの操作がなされていない場合には（Ｓ１：ＮＯ）、給電オンの操作がなされるまで待機する。給電オンの操作がなされた場合（Ｓ１：ＹＥＳ）、制御部３１は、給電部３４から各部への給電を開始して（ステップＳ２）、表示処理部３５による表示部３２への画像表示を開始する。
【００５２】
その後、制御部３１は、操作部３３にて給電オフの操作がなされたか否かを判定し（ステップＳ３）、給電オフの操作がなされていない場合には（Ｓ３：ＮＯ）、給電オフの操作がなされるまで待機する。給電オフの操作がなされた場合（Ｓ３：ＹＥＳ）、制御部３１は、給電部３４から各部への給電を停止し（ステップＳ４）、処理を終了する。
【００５３】
図８は、本発明に係る表示システムのモニタ３ａ、３ｂが行う処理の手順を示すフローチャートである。モニタ３ａ、３ｂの制御部３１は、通信部３８にてＰＣ１からの給電状態の取得要求を受信したか否かを判定し（ステップＳ１１）、給電状態の取得要求を受信していない場合には（Ｓ１１：ＮＯ）、給電状態の取得要求を受信するまで待機する。給電状態の取得要求を受信した場合（Ｓ１１：ＹＥＳ）、制御部３１は給電状態（給電オン／オフ）をＰＣ１へ送信し（ステップＳ１２）、処理を終了する。
【００５４】
図９は、本発明に係る表示システムのＰＣ１が行う表示制御処理の手順を示すフローチャートであり、ＰＣ１のＣＰＵ１１が表示制御プログラム５０を実行することにより行われる処理である。ＰＣ１のＣＰＵ１１は、各接続端子２０ａ、２０ｂの通信部２２にて給電状態の取得要求を各モニタ３ａ、３ｂへ送信し（ステップＳ２１）、給電状態の取得要求に応じてモニタ３ａ、３ｂから通知される給電状態を全て取得したか否かを調べる（ステップＳ２２）。給電状態を取得していない場合（Ｓ２２：ＮＯ）、ＣＰＵ１１は全てのモニタ３ａ、３ｂから給電状態を取得するまで待機する。
【００５５】
全てのモニタ３ａ、３ｂから給電状態を取得した場合（Ｓ２２：ＹＥＳ）、ＣＰＵ１１は、モニタ３ａ、３ｂのいずれかの給電状態が給電オンから給電オフに変化したか否かを判定し（ステップＳ２３）、給電状態が変化していなければ（Ｓ２３：ＮＯ）、給電状態が変化するまで、モニタ３ａ、３ｂの現状での表示を継続して行う（ステップＳ２４）。給電状態が給電オンから給電オフに変化した場合（Ｓ２３：ＹＥＳ）、ＣＰＵ１１は、給電オフに変化したモニタ３ａ、３ｂに表示していた画像要素を表示処理部１３にて取得し（ステップＳ２５）、取得した画像要素の配置（位置又は座標等）をメモリ１２に記憶する（ステップＳ２６）。
【００５６】
次いでＣＰＵ１１は、表示処理部１３に対する制御を行うことによって、給電オン状態の他のモニタ３ａ、３ｂに表示する画像に、ステップＳ２５にて取得した画像要素を配置して（ステップＳ２７）、他のモニタ３ａ、３ｂに表示する画像を生成し（ステップＳ２８）、生成した画像を接続部２０ａ、２０ｂの画像信号出力部２１から給電オン状態の他のモニタ３ａ、３ｂへ出力する（ステップＳ２９）。これにより、給電オン状態の他のモニタ３ａ、３ｂに画像が表示される。なおステップＳ２７にて画像要素を配置する際に、複数のウインドウが重なる場合には、給電オフの通知の送信元のモニタ３ａ、３ｂに表示されていたウインドウを最背側に重ね、また、アイコンなどのその他の画像要素が重なる場合には、適宜の位置に配置を行うものとする。
【００５７】
その後、ＣＰＵ１１は、表示処理部１３による画像の生成及び接続部２０ａ、２０ｂの画像信号出力部２１からの出力を終了することによって、給電オフとされたモニタ３ａ、３ｂによる画像の表示を終了し（ステップＳ３０）、表示制御処理を終了する。
【００５８】
図１０は、本発明に係る表示システムのＰＣ１が行う表示制御処理の手順を示すフローチャートであり、ＰＣ１のＣＰＵ１１が表示制御プログラム５０を実行することにより行われる処理である。なお、本図に示す表示制御処理は、複数のモニタ３ａ、３ｂのいずれかが給電オフされて図９に示す表示制御処理が少なくとも１回以上行われた後にのみ行われる処理である。
【００５９】
まず、ＰＣ１のＣＰＵ１１は、各接続端子２０ａ、２０ｂの通信部２２にて給電状態の取得要求を各モニタ３ａ、３ｂへ送信し（ステップＳ４１）、給電状態の取得要求に応じてモニタ３ａ、３ｂから通知される給電状態を全て取得したか否かを調べる（ステップＳ４２）。給電状態を取得していない場合（Ｓ４２：ＮＯ）、ＣＰＵ１１は全てのモニタ３ａ、３ｂから給電状態を取得するまで待機する。
【００６０】
全てのモニタ３ａ、３ｂから給電状態を取得した場合（Ｓ４２：ＹＥＳ）、ＣＰＵ１１は、モニタ３ａ、３ｂのいずれかの給電状態が給電オフから給電オンに変化したか否かを判定し（ステップＳ４３）、給電状態が変化していなければ（Ｓ４３：ＮＯ）、給電状態が変化するまで、モニタ３ａ、３ｂの現状での表示を継続して行う（ステップＳ４４）。給電状態が給電オンから給電オフに変化した場合（Ｓ４３：ＹＥＳ）、ＣＰＵ１１は、給電オン状態のモニタ３ａ、３ｂに表示されている一又は複数のウインドウから、アクティブウインドウを特定すると共に（ステップＳ４５）、図９に示すフローチャートのステップＳ２６にてメモリ１２に記憶した画像要素の配置を読み出す（ステップＳ４６）。
【００６１】
次いでＣＰＵ１１は、給電オフの際に他のモニタ３ａ、３ｂに表示した画像要素から、ステップＳ４５にて特定したアクティブウインドウを除いた画像要素を、給電オンされたモニタ３ａ、３ｂに配置を戻す画像要素として取得する（ステップＳ４７）。ＣＰＵ１１は、表示処理部１３に対する制御を行うことによって、給電オンされたモニタ３ａ、３ｂに表示する画像に、ステップＳ４７にて取得した画像要素を配置して（ステップＳ４８）、給電オンされたモニタ３ａ、３ｂに表示する画像を生成する（ステップＳ４９）。なおこの際に、表示処理部１３は、給電オンされたモニタ３ａ、３ｂでない他のモニタ３ａ、３ｂに表示する画像として、ステップＳ４７にて取得した画像要素を取り除いた画像を生成する。
【００６２】
次いでＣＰＵ１１は、表示処理部１３が生成した画像を接続部２０ａ、２０ｂの画像信号出力部２１から給電オン状態のモニタ３ａ、３ｂへ出力する（ステップＳ５０）。これにより、給電オン状態のモニタ３ａ、３ｂに画像が表示される。その後、ＣＰＵ１１は、表示処理部１３による画像の生成及び接続部２０ａ、２０ｂの画像信号出力部２１からの出力を終了することによって、モニタ３ａ、３ｂによる画像の表示を終了し（ステップＳ５１）、表示制御処理を終了する。
【００６３】
以上の構成の表示システムにおいては、ＰＣ１及びモニタ３ａ、３ｂにそれぞれ通信部２２及び３８を設けて相互に通信可能とすることによって、ＰＣ１はモニタ３ａ、３ｂとの通信により給電状態が変化したことを判断できる。また、いずれかのモニタ３ａ、３ｂが給電オフされた場合に、給電オフされたモニタ３ａ、３ｂに表示されていたウインドウ及びアイコン等の画像要素を、給電オン状態の他のモニタ３ａ、３ｂに表示させる構成とすることによって、予め画像要素をユーザが移動させておく必要はなく、ユーザはモニタ３ａ、３ｂの給電オフ操作を行うのみでよいため、煩わしさを感じることなく簡単にモニタ３ａ、３ｂの給電をオフすることができる。これにより、ユーザは使用頻度の低いモニタ３ａ、３ｂの給電をオフすることによって節電を容易に行うことができ、表示システムの電力消費低減を確実に実現することができる。
【００６４】
また、給電オフされたモニタ３ａ、３ｂに表示されていたウインドウを給電オン状態の他のモニタ３ａ、３ｂに表示すると複数のウインドウが重なる場合、給電オフされたモニタ３ａ、３ｂに表示されていたウインドウが最背側となるように複数のウインドウを重ねて表示する構成とすることにより、使用頻度又は重要度等が低いウインドウがユーザの作業の妨げとなることを回避することができ、表示システムの利便性を向上することができる。
【００６５】
また、給電オフされたモニタ３ａ、３ｂに表示されていた画像要素を給電オン状態の他のモニタ３ａ、３ｂに移動して表示する際に、これらの画像要素の配置をメモリ１２に記憶しておき、給電オフされたモニタ３ａ、３ｂが再度給電オンされた場合に、記憶した配置に従って画像要素を元のモニタ３ａ、３ｂに戻して表示する構成とすることにより、ユーザは給電オフしたモニタ３ａ、３ｂに対する給電オン操作を行うのみで、給電オフ前の作業環境に戻すことができるため、表示システムの利便性をより向上することができる。ただし、元のモニタ３ａ、３ｂが再度給電オンされた場合であっても、ユーザが作業を行っているアクティブウインドウについては、メモリ１２に記憶された配置に従って元のモニタ３ａ、３ｂに戻す処理は行わないことにより、ユーザの作業の妨げとなることを回避することができる。
【００６６】
また、ハードディスク１５に記憶された表示制御プログラム５０を実行することで、ＰＣ１が上述の表示制御処理を行う構成とすることにより、汎用的なコンピュータを用いて表示制御処理を行うことができるため、本発明の表示システムの汎用性を向上することができる。
【００６７】
なお、本実施の形態においては、ＰＣ１に２つのモニタ３ａ、３ｂを接続する構成としたが、これに限らず、ＰＣ１に３つ以上のモニタを接続する構成としてもよい。この構成では、一のモニタが給電オフされた場合、ＰＣ１のＣＰＵ１１は、給電オフされたモニタに表示していた画像要素を、その他の複数のモニタに適宜に振り分けて表示してもよく、いずれか１つのモニタに移動して表示してもよい。また、図３〜図６に示したモニタ３ａ、３ｂの表示は一例であって、これに限るものではない。
【００６８】
また、２つのモニタ３ａ、３ｂをケーブル５にてそれぞれＰＣ１に接続する構成、所謂スター型の構成としたが、これに限るものではなく、一のモニタに他のモニタを接続するデイジーチェイン型の構成としてもよく、バス型の構成としてもよく、その他の構成で接続してもよい。また、ＰＣ１とモニタ３ａ、３ｂとを１本のＤＶＩ規格のケーブル５でそれぞれ接続し、ＰＣ１及びモニタ３ａ〜３ｂ間の通信をＤＤＣ／ＣＩで行う構成としたが、これに限るものではなく、例えばＨＤＭＩ−ＣＥＣ（High Definition Multimedia Inter - Consumer Electronics Control）など通信線を含む他の映像信号ケーブルを用いてもよく、画像信号を伝送するケーブルとは別にＵＳＢ（Universal Serial Bus）ケーブルのような通信用のケーブルを別に接続する構成としてもよく、通信を無線で行う構成としてもよく、その他の構成でＰＣ１及びモニタ３ａ、３ｂを接続してもよい。
【００６９】
また、図９に示したフローチャートのステップＳ２２及び図１０に示したフローチャートのステップＳ４２において、各モニタ３ａ、３ｂから通知される給電状態をＰＣ１が取得しない場合に、取得するまで待機する構成としたが、モニタ３ａ、３ｂが給電オフの状態で通信を行わない構成のとき、給電状態をＰＣ１が所定時間内に取得できない場合にはモニタ３ａ、３ｂが給電オフの状態と判断してもよい。
【００７０】
また、ＰＣ１が通信部２２の通信により各モニタ３ａ、３ｂの給電状態を定期的に取得して、各モニタ３ａ、３ｂの給電状態の変化の有無を判断する構成としたが、これに限るものではなく、例えば各モニタ３ａ、３ｂが操作部３３にて給電オン／オフの操作がなされた場合に、ＰＣ１へ給電オン／オフの通知を行う構成としてもよい。
【００７１】
（変形例）
一のモニタ３ａ、３ｂが給電オフされた場合に給電オン状態の他のモニタ３ａ、３ｂに画像要素を移動して表示するか否か、及び、給電オンされたモニタ３ａ、３ｂが再度給電オンされた場合に元のモニタ３ａ、３ｂに画像要素を戻して表示するか否かを、ユーザが予め設定可能な構成としてもよい。ＰＣ１は、いずれか１つのモニタ３ａ、３ｂに表示設定ウインドウを表示し、ユーザによる設定を受け付ける。
【００７２】
図１１は、表示設定ウインドウの一例を示す模式図である。ＰＣ１がいずれか１つのモニタ３ａ、３ｂに表示する表示設定ウインドウ６０には、「給電オフ時にウインドウを移動する」及び「給電オフ時にアイコンを移動する」等の複数の設定項目に対して、有効／無効のいずれかを選択可能なオプションボタン６１がそれぞれ設けられている。また、表示設定ウインドウ６０には、ユーザによる設定を反映させて表示設定ウインドウ６０を閉じる（非表示にする）ためのＯＫボタン６２と、設定を反映させずに表示設定ウインドウ６０を閉じるためのキャンセルボタン６３とが設けられている。
【００７３】
表示設定ウインドウ６０のＯＫボタン６２が操作された場合、ＰＣ１は各設定項目に対する有効／無効の設定を受け付け、この設定をハードディスク１５に記憶する。その後、いずれかのモニタ３ａ、３ｂが給電オフされた場合、ＰＣ１は、例えば図９に示すフローチャートのステップＳ２５の処理を行う前に、ハードディスク１５に記憶した設定を読み出し、給電オフ時の移動が有効に設定された画像要素のみステップＳ２５にて取得して、画像要素の移動を行えばよい。
【００７４】
例えば、「給電オフ時にウインドウを移動する」の設定項目が有効の場合のみ、ＰＣ１は給電オフされたモニタ３ａ、３ｂに表示されていたウインドウを、給電オン状態の他のモニタ３ａ、３ｂに移動して表示する。同様に、「給電オフ時にアイコンを移動する」の設定項目が有効の場合のみ、ＰＣ１は給電オフされたモニタ３ａ、３ｂに表示されていたアイコンを、給電オン状態の他のモニタ３ａ、３ｂに移動して表示する。「給電オフ時にタスクバーを移動する」の設定項目が有効の場合のみ、ＰＣ１は給電オフされたモニタ３ａ、３ｂに表示されていたタスクバーを、給電オン状態の他のモニタ３ａ、３ｂに移動して表示する。「給電オフ時にその他アプリケーション表示を移動する」の設定項目が有効の場合のみ、ＰＣ１は給電オフされたモニタ３ａ、３ｂに表示されていた時計アプリケーションの時間表示画像又はカレンダーアプリケーションの日付表示画像等を、給電オン状態の他のモニタ３ａ、３ｂに移動して表示する。
【００７５】
また、給電オフされたモニタ３ａ、３ｂが再度給電オンされた場合、ＰＣ１は、例えば図１０に示すフローチャートのステップＳ４７の処理を行う前に、ハードディスク１５に記憶した設定を読み出し、給電オン時に表示を戻す設定が有効に設定された画像要素のみステップＳ４７にて取得して、画像要素を元のモニタ３ａ、３ｂに戻して表示すればよい。
【００７６】
例えば、「給電再オン時にウインドウ及びアイコン等を戻す」の設定項目が有効の場合のみ、ＰＣ１は再度給電オンされた元のモニタ３ａ、３ｂにウインドウ、アイコン、タスクバー及び時計アプリケーションの時間表示画像等を戻して表示する。またＰＣ１は、「給電再オン時にアクティブウインドウを戻す」の設定項目が有効の場合、ユーザが作業中のアクティブウインドウであっても元のモニタ３ａ、３ｂに戻して表示し、この設定項目が無効の場合のみアクティブウインドウを戻さない。
【００７７】
なお、図１１に示すように表示設定ウインドウ６０のオプションボタン６１による有効／無効の設定を行うことによって、図３〜図６に示した例のように、ウインドウＡ〜Ｃ、タスクバー５１、アイコン５２及び時間表示画像５３等の表示が行われる。また、図１１に示した表示設定ウインドウ６０の構成は一例であって、これに限るものではない。表示設定ウインドウ６０に設ける設定項目は図示のものに限らず、適宜に変更可能であり、また、各設定項目に対する設定方法もオプションボタン６１を用いる方法に限らず、適宜に変更可能である。
【００７８】
以上の変形例に示すように、ＰＣ１がいずれかのモニタ３ａ、３ｂに表示設定ウインドウ６０を表示して、モニタ３ａ、３ｂの給電オン／オフに伴う画像要素の移動を行うか否かに係る設定をユーザから受け付ける構成とすることにより、ユーザ毎の好みに応じた画像要素の移動を行うことができるため、表示システムの利便性をより向上することができる。
【図面の簡単な説明】
【００７９】
【図１】本発明に係る表示システムの構成を示すブロック図である。
【図２】本発明に係る表示システムの構成を示すブロック図である。
【図３】本発明に係る表示システムの表示制御処理を説明するための模式図である。
【図４】本発明に係る表示システムの表示制御処理を説明するための模式図である。
【図５】本発明に係る表示システムの表示制御処理を説明するための模式図である。
【図６】本発明に係る表示システムの表示制御処理を説明するための模式図である。
【図７】本発明に係る表示システムのモニタが給電オン／オフの際に行う処理の手順を示すフローチャートである。
【図８】本発明に係る表示システムのモニタが行う処理の手順を示すフローチャートである。
【図９】本発明に係る表示システムのＰＣが行う表示制御処理の手順を示すフローチャートである。
【図１０】本発明に係る表示システムのＰＣが行う表示制御処理の手順を示すフローチャートである。
【図１１】表示設定ウインドウの一例を示す模式図である。
【符号の説明】
【００８０】
１  ＰＣ（表示制御装置）
３ａ、３ｂ  モニタ（表示装置）
５  ケーブル
１１  ＣＰＵ（給電状態取得手段、特定手段）
１２  メモリ（記憶手段）
１３  表示処理部（表示処理手段）
１４  操作部（受付手段）
１５  ハードディスク
１６  ディスクドライブ
２０ａ、２０ｂ  接続部
２１  画像信号出力部
２２  通信部（通信手段）
３１  制御部（給電状態通知手段）
３２  表示部
３３  操作部
３４  給電部
３５  表示処理部
３６  接続部
３７  画像信号入力部
３８  通信部（通信手段）
５０  表示制御プログラム（コンピュータプログラム）
５１  タスクバー
５２  アイコン
５３  時間表示画像
６０  表示設定ウインドウ（設定受付手段）
６１  オプションボタン
６２  ＯＫボタン
６３  キャンセルボタン
Ａ〜Ｃ  ウインドウ
【図１】
2010033375.tif 000003
【図２】
2010033375.tif 000004
【図３】
2010033375.tif 000005
【図４】
2010033375.tif 000006
【図５】
2010033375.tif 000007
【図６】
2010033375.tif 000008
【図７】
2010033375.tif 000009
【図８】
2010033375.tif 000010
【図９】
2010033375.tif 000011
【図１０】
2010033375.tif 000012
【図１１】
2010033375.tif 000013